(57)【要約】【課題】配送過程において封緘部が破れることなく、開封の方法を判りやすくし、開封後に再び封緘することができ、外観を損ねることなく繰り返し使用可能な封筒を提供する。【解決手段】封筒１は、一端を開口して収容口４を形成した袋状の封筒本体２と、収容口を構成する開口の一辺４１から連続して舌状に設けられ、収容口を塞ぐように折り返すとともに、封筒本体の外面２２ａと固着することで封緘可能な封緘部３とからなる封筒において、封緘部は、収容口を塞ぐように折り返した時の封筒本体の外面と対向する面部３ａに、封筒本体の外面に固着して封緘可能な貼付部５を備え、貼付部は、前記開口一辺側から封緘部先端４４側へと、所定間隔をあけて複数条配列されており、貼付部を備えた面部と背中合わせの面部３ｂには、前記各貼付部と貼付部との間の所定間隔に対応した領域に、各貼付部間で切り離し可能な切取部６を備えた。【選択図】図１
0003146606.tif 000002
【実用新案登録請求の範囲】
【請求項１】
一端を開口して収容口を形成した袋状の封筒本体と、
前記収容口を構成する開口の一辺から連続して舌状に設けられ、収容口を塞ぐように折り返すとともに、封筒本体の外面と固着することで封緘可能な封緘部と
からなる封筒において、
封緘部は、
収容口を塞ぐように折り返した時の封筒本体の外面と対向する面部に、封筒本体の外面に固着して封緘可能な貼付部を備え、
貼付部は、前記開口一辺側から封緘部先端側へと、所定間隔をあけて複数条配列されており、
貼付部を備えた面部と背中合わせの面部には、前記各貼付部と貼付部との間の所定間隔に対応した領域に、各貼付部間で切り離し可能な切取部を備えたことを特徴とする封筒。
【請求項２】
貼付部と切取部は、封緘部の先端側から順に使用され、それぞれ貼付部と切取部には、使用順位を示す印が封緘状態で視認可能に設けられていることを特徴とする請求項１に記載の封筒。
【請求項３】
貼付部は、帯状に設けた固着部と、固着部上に剥離可能に設けた剥離紙とで構成されていることを特徴とする請求項１に記載の封筒。
【請求項４】
貼付部は、帯状に設けた固着部と、固着部上に剥離可能に設けた剥離紙とで構成されていることを特徴とする請求項２に記載の封筒。
【請求項５】
切取部は、貼付部と平行に設けられたミシン目であることを特徴とする請求項３に記載の封筒。
【請求項６】
切取部は、貼付部と平行に設けられた一条又は複数条のミシン目であることを特徴とする請求項４に記載の封筒。
【請求項７】
切取部は、貼付部と平行に設けられた二条のミシン目と、二条のミシン目間に設けられ、ミシン目に沿って切り外し可能な帯状部で構成されていることを特徴とする請求項３に記載の封筒。
【請求項８】
切取部は、貼付部と平行に設けられた二条のミシン目と、二条のミシン目間に設けられ、ミシン目に沿って切り外し可能な帯状部で構成されていることを特徴とする請求項４に記載の封筒。
【請求項９】
一端を開口して収容口を形成した袋状の封筒本体と、
封筒本体と一体に舌状に形成され、前記収容口を塞ぐように折り返すとともに、封筒本体の外面と固着することで封緘可能な封緘部と
で構成されている封筒において、
封緘部は、
前記収容口を構成する封筒本体開口の一辺から連続して設けられた第一の封緘部と、
該第一の封緘部の折り返し位置から離間して、封筒本体の内面に基端部を設けた複数の封緘部と、
で構成されている
ことを特徴とする封筒。
【考案の詳細な説明】
【技術分野】
【０００１】
本考案は、開封後に再び封緘することができ、繰り返し使用可能であり、外観を損ねない封筒に関する。
【０００２】
封筒本体から延出した封緘部を備え、該封緘部を封筒本体の外面に折り返して、封筒の収容口を封緘する種類の封筒は、通常、開封時に封緘部が切断されて、封筒内部の収容空間から書類等の収容物が取り出される。このため、開封された後には、再び封筒として使用することができなくなるので破棄されていた。
【０００３】
ところで、昨今のエコロジー重視の時代背景により、可能な限り資源を有効に再利用（リユース）することが望まれている。
このような観点から、封筒の再利用について考えると、封筒を形成する材質は、配送過程において破れることのないように、十分な丈夫さを備えた材質が選択されている。このため、封筒が配送された後であっても、開封後の封筒には、書類等を保護する機能が十分に残されており、特に、宅配便等で使用されるような厚紙からなる封筒では、業者が回収して資源としてリサイクルを図る場合もあり、あるいは、配送先でそのまま使用する場合には、配送用の宛名シールを剥がすことによって、書類の仕分けや保存等の用途などに使用される場合はあるが、封筒の開封時に封緘部が切断されているため、配送の目的で使用することができなかった。
このため、従来から、一旦開封された封筒を再び封緘して、再使用を可能にする技術が種々研究されている。
【０００４】
そのような技術の一例として、特許文献１は、封緘部の封緘面に蛇腹状の貼付部を設け、その貼付部を封筒本体に貼り付けて封緘するとともに、蛇腹部分を切断することで開封可能とした構成を開示している。この場合には、切断後の蛇腹部分に残された貼付部を封筒本体に再度貼り付けることによって、封筒を繰り返し使用することが可能になっている。
また、他の技術の一例として、特許文献２は、封筒本体にシート状の貼着部材を貼着し、貼着部材には、封緘部に貼り付け可能な貼着可能部分が複数設けられるとともに、該複数の貼着可能部分間のミシン目を切断することで開封可能とした構成を開示している。この場合には、切断後に、貼着部材に残された貼着可能部分を封筒本体に再度貼り付けることによって、封筒を繰り返し使用することが可能になっている。
【０００５】
しかし、上記従来の技術では、封筒を繰り返し使用することができるようになったものの、いずれも、封緘された状態において、封緘部が封筒本体から浮き上がった状態となるため、配送過程において封緘部が引っ掛かったり、封緘部が引っぱられて不測の力が掛かったりする虞があり、その場合には、封緘部が破れて封筒内の書類等の収容物が飛び出してしまい、書類等の収容物を配送が完了するまで保護するという封筒の目的が損なわれるという問題があった。さらに、封緘部が封筒本体から浮き上がった封緘状態は、通常の封筒からはかけ離れた外観であり、配送先で違和感を持たれてしまうので、積極的に使用し難いという問題もあった。
また、封筒の配送先において、封緘部のどこを切断すれば良いのかわからず、封緘部が封筒本体から延出している基部を切断されてしまう虞があり、その場合には、封緘部が正しくない箇所で切断されてしまうため、封筒を繰り返し使用することができなくなってしまう。そのような問題を避けるためには、予め配送先において、再使用可能な封筒の構造について周知が図れれば良いが、そのためには、配送先の協力が不可欠であり、そのための費用や労力が煩わしく、封筒の再使用を図り難いという問題もあった。
【０００６】
【特許文献１】特開２００２−４６７４９号公報
【特許文献２】実用新案登録第３１３２７６１号公報
【考案の開示】
【考案が解決しようとする課題】
【０００７】
本考案は、上記問題点を解決して、配送過程において封緘部が破れることなく、開封の方法を判りやすくし、開封後に再び封緘することができ、外観を損ねることなく繰り返し使用可能な封筒を提供することである。
【課題を解決するための手段】
【０００８】
上記課題を達成するために本考案が成した技術的手段は、一端を開口して収容口を形成した袋状の封筒本体と、前記収容口を構成する開口の一辺から連続して舌状に設けられ、収容口を塞ぐように折り返すとともに、封筒本体の外面と固着することで封緘可能な封緘部とからなる封筒において、封緘部は、収容口を塞ぐように折り返した時の封筒本体の外面と対向する面部に、封筒本体の外面に固着して封緘可能な貼付部を備え、貼付部は、前記開口一辺側から封緘部先端側へと、所定間隔をあけて複数条配列されており、貼付部を備えた面部と背中合わせの面部には、前記各貼付部と貼付部との間の所定間隔に対応した領域に、各貼付部間で切り離し可能な切取部を備えたことを特徴とする封筒としたことでる。その場合、貼付部と切取部は、封緘部の先端側から順に使用され、それぞれ貼付部と切取部には、使用順位を示す印が封緘状態で視認可能に設けられている場合もある。
【０００９】
上記封筒の貼付部は、帯状に設けた固着部と、固着部上に剥離可能に設けた剥離紙とで構成されていても良く、また、切取部は、貼付部と平行に設けられたミシン目であっても良い。
その場合、ミシン目は、一条又は複数条あっても良い。
また、切取部は、貼付部と平行に設けられた二条のミシン目と、二条のミシン目間に設けられ、ミシン目に沿って切り外し可能な帯状部で構成されていても良い。
【００１０】
さらに、一端を開口して収容口を形成した袋状の封筒本体と、封筒本体と一体に舌状に形成され、前記収容口を塞ぐように折り返すとともに、封筒本体の外面と固着することで封緘可能な封緘部とで構成されている封筒において、封緘部は、前記収容口を構成する封筒本体開口の一辺から連続して設けられた第一の封緘部と、該第一の封緘部の折り返し位置から離間して、封筒本体の内面に基端部を設けた複数の封緘部とで構成されていることを特徴とする封筒としても良い。
【考案の効果】
【００１１】
本考案によれば、配送過程において封緘部が破れることなく、開封の方法を判りやすくした、開封後に、開封後に再び封緘することができ、外観を損ねないで繰り返し使用可能な封筒を提供することができるようになった。
【考案を実施するための最良の形態】
【００１２】
以下、本考案の一実施の形態に係る封筒について、図にもとづいて説明する。なお、本実施形態は本考案の一実施形態にすぎず、何等これらに限定して解釈されるものではなく、本考案の範囲内で設計可能である。
また、本実施形態における封筒とは、袋状に形成された封筒の収容口から書類や書籍や商品等の収容物を収容することができ、さらに、収容口を封緘する封緘部を備えた形態が対象とされる。また、そのような形態を備えた封筒であれば、材質は問わず、例えば、薄紙や厚紙、ダンボール、ビニールまたは布等により形成された封筒も本考案の対象となる。また、収容口を備えた袋状に形成され、封緘部を備えていれば、封筒の形態は問わず、縦角型や横角型または円形等の変形の封筒も本考案の対象となる。
【実施例１】
【００１３】
本考案による封筒１の実施例１を図１乃至図６に示す。なお、図２は、図１に示す封筒１を裏返した状態を示している。また、図３乃至図６における断面図は、それぞれ、封筒１の開口部から底辺に向けた、縦方向の断面図である。
封筒１は、封筒本体２と、封筒本体２から延出した封緘部３とからなる。なお、本実施例では、紙製の封筒１を想定するが、封筒１を形成する材質については、封筒１の使用環境により任意に選択されれば良い。
【００１４】
封筒本体２は、重ねあわされた一面側２１と他面側２２が、右辺（図１中の右側の辺）２３で一体に連続するとともに、左辺（図１中の左側の辺）２４で一体に連続し、さらに、底面（図１中の奥側の辺）２５が糊付けされることにより、３方向が一体に連続して、一端を開口して収容口４を形成した袋状に形成されている。
収容口４を構成する開口は、一面側２１を横断して掛け渡される一辺（図１中の一面側２１の手前側の辺）４１と、他面側２２を横断して掛け渡される他辺（図１中の他面側２２の手前側の辺）４２の、それぞれの両端同士が一体に連続することによって形成されている。封筒１に書類等の収容物を収容する際には、該収容口４を拡開して、収容口４から、収容空間Ｓに収容物が出し入れされる。
本実施例では、一面側２１の一辺４１は、折り線として形成され、封筒１の封緘時に封緘部３が一辺４１から折り曲がり易くなっている。なお、一面側２１の一辺４１は、折り線として形成されず、仮想上の辺とされていても良い。
【００１５】
封緘部３は、収容口４の一辺４１から連続した舌状に延出して設けられている。また、封緘部３は、封筒１が封緘される場合には、封筒本体２の他面側２２の外面２２ａに、収容口４を塞ぐように折り返されて、封筒本体２の外面２２ａに固着して封緘可能な複数の貼付部５と、貼付部５間で切り離し可能切取部６を備えている。
【００１６】
複数の貼付部５は、封緘部３を収容口４を塞ぐように折り返した時に、封筒本体２の他面側２２の外面２２ａと対向する面部３ａ（図１中の上側の面）に設けられるとともに、貼付部５は、封緘部３の延出基端部４３（一辺４１）側から封緘部３の先端部４４へと（同図中の両矢印の方向）、所定間隔をあけて複数条配列されている。
本実施例では、封筒１を２回繰り返して使用する場合を想定しており、複数の貼付部５として、第１の貼付部５ａと第２の貼付部５ｂの２つの貼付部５を有している。この場合、第１の貼付部５ａは、第１回目の封緘時に使用され、第２の貼付部５ｂは、第２回目の封緘時に使用される。具体的には、第１の貼付部５ａは、面部３ａの先端部４４側に配され、第２の貼付部５ｂは、面部３ａの延出基端部４３側に配され、第１の貼付部５ａと第２の貼付部５ｂとの間は、所定の間隔が空けられている。
【００１７】
なお、封緘部３は、第１の貼付部５ａと第２の貼付部５ｂと、貼付部５間の所定の間隔とが配置される十分な延出長さを有するように形成されている。
本実施例では、２つの貼付部５を設けた場合を説明するが、貼付部５の数は、これに限定されることなく、封筒１の繰り返し使用される回数によって、任意に設定されれば良く、貼付部５の数の増加に従って、封筒１を繰り返し使用可能な回数が増加する。また、貼付部５の数が増加した場合には、増加した貼付部５と各貼付部５間の所定の間隔を配置し得る封緘部３の延出長さが設定されれば良い。
【００１８】
また、貼付部５（第１の貼付部５ａ及び第２の貼付部５ｂ）として、本実施例では、表面と裏面の双方に固着部を備えた、帯状の両面粘着テープが採用されている。
両面粘着テープの一方側の固着部（符号なし）は、封緘部３の面部３ａに貼り合わされることにより、テープが封緘部３に固定される。なお、該両面粘着テープは、封緘部３の右辺（図１中の封緘部３の右側の辺）３１近傍から左辺（図１中の封緘部３の左側の辺）３２近傍まで連続して掛け渡されている。
【００１９】
また、第１の貼付部５ａの両面粘着テープの他方側の固着部（封緘するときに封筒本体２の他面側２２の外面２２ａに固着される面）５ｃには、固着部５ｃ上に剥離可能に、剥離紙５ｄ（５ｄ'）が貼られ、第２の貼付部５ｂの両面粘着テープの他方側の固着部５ｃ'には、固着部５ｃ'上に剥離可能に、剥離紙５ｄ'が貼られている。
これにより、固着部５ｃ（５ｃ'）は、使用されるまで、剥離紙５ｄ（５ｄ'）に保護されている。なお、貼付部５を使用して封筒１を封緘する場合には、剥離紙５ｄが剥がし取られることにより、テープの固着部５ｃ（５ｃ'）が露出して、貼付部５（第１の貼付部５ａ，第２の貼付部５ｂ）を封筒本体２の他面側２２の外面２２ａに固着貼り合わせることが可能となる。
【００２０】
切取部６は、封緘部３を封筒本体２の他面側２２の外面２２ａに折り返した場合に、外面２２ａと同じ向きとなる反対向面（貼付部５を備えた面部３ａと背中合わせの面部）３ｂであって、前記各貼付部５と貼付部５との間の所定間隔に対応した領域に配されている。
本実施例では、切取部６として、封緘部３の右辺３１から左辺３２まで、貼付部５と平行に横断したミシン目が形成されている。
ミシン目は、封緘された封筒１を開封する際に、封緘部３を切断する位置を判り易くする目印となるとともに、該ミシン目が切り開かれることによって、第１の貼付部５ａと第２の貼付部５ｂとの間が容易に切断され切り離される。
【００２１】
ここで、本実施例による封筒１を使用する場合について説明する。
まず、封筒１を１回目に使用する場合には、封筒本体２の収容口４から収容空間Ｓに書類等の収容物Ｐを挿し入れた後に、封緘部３の面部３ａの先端部４４側に配された第１の貼付部５ａの剥離紙５ｄを剥がし取って、固着部５ｃを露出させる。
なお、貼付部５と切取部６は、封緘部３の先端部４４側から順に使用される。すなわち、面部３ａの延出基端部４３側に配された第２の貼付部５ｂは、剥離紙５ｄ'を残したままにして、固着部５ｃを露出させない（図１及び図３参照）。
【００２２】
次に、封緘部３は、封筒本体２の一面側２１の一辺４１（折り線）を収容口４から見て谷折りにされ、封筒本体２の他面側２２の外面２２ａに折り返される。
封緘部３が折り返されて、面部３ａと外面２２ａが対向したとき、封緘部３は、封筒本体２に押し付けられる。これにより、第１の貼付部５ａの固着部５ｃが、外面２２ａに貼り付け固着させられ、収容口４が塞がれて、封筒１の封緘が完了する。このとき、第２の貼付部５ｂの固着部５ｃ'は剥離紙５ｄ'によって保護されているので、外面２２ａに貼り付くことがない（図４（ａ）参照）。
【００２３】
封筒１が封緘されると、封筒１の外観は、図４（ｂ）に示すように、封緘部３が封筒本体２の外面２２ａと一体に貼り合わせられ、封筒１の収容口４が封緘部３で覆われて閉鎖されるので、封筒１を配送することが可能な状態となる。
このとき、封緘部３と封筒本体２とが、貼付部５によってしっかりと固着され、封緘部３と封筒本体２の外面２２ａとの間には、貼付部５の厚みしかないので、配送過程において封緘部３が引っ掛かって破れることがなく、封筒１に収容した書類等Ｐの収容物が封筒１から飛び出すこともない。
【００２４】
次に、配送先において封筒１を開封する場合には、封緘部３のミシン目（切取部６）を切り開いて、第１の貼付部５ａと第２の貼付部５ｂとの間を切断する。
これにより、外面２２ａに貼り付いた第１の貼付部５ａとともに、封緘部３の先端部４４側が封筒本体２側に残り、先端部４４側と切り離された封緘部３の延出基端部４３側が自由な状態となる。このとき、延出基端部４３側を折り戻すことで、封筒１の収容口４が封緘部３で覆われた状態から開放されるので、該収容口４から収容空間Ｓに収容された書類等Ｐの収容物を取り出すことができる（図５（ａ）参照）。
【００２５】
封筒１を２回目に使用する場合には、封筒本体２の収容口４から収容空間Ｓに書類等Ｐを挿し入れた後に、封緘部３の面部３ａの延出基端部４３側に配された第２の貼付部５ｂの剥離紙５ｄ'を剥がし取って、固着部５ｃ'を露出させる（図５（ｂ）参照）。
そして、１回目の使用時と同様に、封緘部３は、封筒本体２の一面側２１の一辺４１（折り線）を谷折りにして、封筒本体２の他面側２２の外面２２ａに折り返され、面部３ａと外面２２ａとを対向したとき、封緘部３は、封筒本体２に押し付けられる。
これにより、第２の貼付部５ｂの固着部５ｃ'が、外面２２ａに貼り付けられ、封筒１が封緘される（図６参照）。このとき、第１の貼付部５ａと第２の貼付部５ｂが並んで外面２２ａに貼り付けられた状態となり、封緘部３が封筒本体２の外面２２ａと一体に固着させられ、封筒１の収容口４が封緘部３で覆われて塞がれるので、封筒１の封緘が完了して、封筒１を配送することが可能な状態となる。
【００２６】
２回目の封緘が完了すると、外面２２ａに、第１の貼付部５ａと第２の貼付部５ｂとが並んで固着された状態となるので、このときの封筒１の外観は、１回目の封緘時と同様（図４（ｂ）参照）であり、２回目の使用においても、配送先において複数回使用による外観を損ねることなく、違和感を与えることがない。
また、封緘部３と封筒本体２とが貼付部５によってしっかりと固着され、封緘部３と封筒本体２の外面２２ａとの間には、貼付部５の厚みしかないので、配送過程において封緘部３が引っ掛かって破れることがなく、封筒１に収容した書類等Ｐの収容物が封筒１から飛び出すこともない。
【００２７】
なお、本実施例では、第１の貼付部５ａと第２の貼付部５ｂとの間に所定の間隔を有した場合を想定したが、所定の間隔を有さず、第１の貼付部５ａと第２の貼付部５ｂとが直接隣り合わせに配されていても良い。この場合であっても、切取部６が貼付部５と貼付部５の境界線上に配されることによって、第１の貼付部５ａと第２の貼付部５ｂとの間を切断することができる。
【００２８】
なお、本実施例では、切取部６としてミシン目が形成された場合を説明したが、これに限定されず、封緘された封筒１を開封する際に、封緘部３を切断すべき位置が判り易くなれば他の構成が採用されても良い。
例えば、切取部は、第１の貼付部５ａと第２の貼付部５ｂとの間に、貼付部と平行に設けられた二条のミシン目が設けられ、該ミシン目とミシン目との間に、帯状に形成された切除可能な帯状部が形成されていても良い。この場合には、配送先において、開封方法として、帯状部を引っ張ることで該帯状部を切り外すことが判り易く、これにより、第１の貼付部５ａと第２の貼付部５ｂを容易かつ確実に切り離すことができる。
【００２９】
また、封緘部３を切断すべき位置を判り易くする目印の他の例として、封緘部３の反対向面３ｂの貼付部５と貼付部５との間の所定間隔に対応した領域に、切取線を配してもよい。この場合には、切取線に沿って、鋏やペーパーナイフ等を挿し入れ、封緘部３の第１の貼付部５ａと第２の貼付部５ｂを切り離せば良い。
また、その他の例として、封緘部３の反対向面３ｂの該当部分に模様、例えば星印等が配されていても良い。この場合であっても、星印の位置に鋏やペーパーナイフ等を挿し入れ、封緘部３の第１の貼付部５ａと第２の貼付部５ｂを切り離すことが判り易い。なお、この場合の図形は任意に設定されれば良い。
【００３０】
また、貼付部５と切取部６には、使用順位を示す印が封緘状態で視認可能に設けられていても良い。この場合、使用順位を示す印として、使用されるべき順番が数字や文字で示されれば良い。すなわち、本実施例では、貼付部５と切取部６が、封緘部の先端側から順に使用されることによって、封筒１を繰り返し封緘して使用するので、貼付部５と切取部６の使用されるべき順番が、封緘する時や開封する時に理解し易くされていることによって、確実に封筒１が繰り返し使用可能となる。
【実施例２】
【００３１】
本考案による封筒１の実施例２を図７及び図８に示す。なお、同図中における断面図は、それぞれ、封筒１の開口部から底辺に向けた、縦方向の断面図である。
実施例１では、封緘部３が、複数の貼付部５と貼付部５間を切り離す切取部６を有していたが、それらの構成に代えて、実施例２では、第一の封緘部７と複数の封緘部８を備えていることが相違する。従って、封筒１の封筒本体２の構成については、実施例１と同一の構成であるため、同一の符号を用いることで、その説明に代え、ここでは、実施例２の特徴的な構成である、第一の封緘部７と複数の封緘部８を中心に説明する。
【００３２】
第一の封緘部７は、実施例１の封緘部３と同様に、収容口４を構成する封筒本体２の開口の一辺４１を基端部４３として、連続した舌状に延出して設けられている。また、封緘部７は、封筒１が封緘される場合には、封筒本体２の収容口４を形成する一辺４１で、収容口４を塞ぐように、封筒本体２の他面側２２の外面２２ａに折り返されて、封筒本体２の外面２２ａに固着して封緘可能な貼付部５ａ（貼付部５）を有している。なお、封緘部７は、１回目の封緘時に使用される（図８ｂ参照）。
【００３３】
複数の封緘部８は、その基端部８ｃが、第一の封緘部７の折り返し位置（封筒本体２の収容口４を形成する一辺４１）から所定の寸法（図８（ａ）中の寸法ｔ参照）離間して、収容空間Ｓ内に固定されているとともに、その先端部８ｄは、封筒本体２の底面２５側に向けられている。
また、複数の封緘部８は、外面２２ａに貼り付け可能な貼付部５を有している。
複数の封緘部８の貼付部５ｂ（貼付部５）は、２回目の封緘時に使用され、封筒１が封緘される場合には、複数の封緘部８が、封筒本体２の他面側２２の外面２２ａに折り返されて、貼付部５ｂによって外面２２ａに固着されることにより、封筒１の収容口４が複数の封緘部８で塞がれるので、封筒１を配送することが可能な状態となる（図８ａ参照）。
【００３４】
なお、貼付部５ａ，５ｂとして、本実施例では、実施例１の貼付部５と同様に、表面と裏面の双方に固着部を備えた両面粘着テープが採用されており、封緘部７の右辺（図１中の封緘部７の右側の辺）３１近傍から左辺（図１中の封緘部３の左側の辺）３２近傍まで連続して掛け渡されている。なお、両面粘着テープの貼り付け方法については、実施例１と同様であり、実施例１で詳述したので、ここでは、その説明を省略する。
【００３５】
封緘部７によって、１回目の封緘がされた封筒１を開封する場合には、封緘部７の基端部４３側を折り返し位置（封筒本体２の収容口４を形成する一辺４１）で切断する（図８（ｂ）中の破線参照）。これにより、封緘部７が切断され、封緘部７の先端４４側が、貼付部５ａによって、封筒本体２の他面側２２の外面２２ａに貼り合わされたまま残される。これにより、収容口４が開放されて収容物を出し入れ可能となる。
【００３６】
このとき、複数の封緘部８は、一辺４１から所定の寸法離間して、収容空間Ｓ内に固定されているとともに、その先端部８ｄは、封筒本体２の底面２５側に向けられているので、封筒１を開封する際に、複数の封緘部８自体が切断されることがない。
この場合、封筒１の上端（封緘部の基端部４３の位置）を切断して封筒１を開封することは、広く一般的に行われているので、本実施例による封筒１の開封方法を予め配送先に周知する必要がない。
【００３７】
開封した封筒１に２回目の封緘をする場合には、収容空間Ｓ内に固定されている複数の封緘部８を収容口４から引き出すとともに、封筒本体２の他面側２２の外面２２ａに折り返されて、貼付部５ｂによって外面２２ａに固着すれば良い。
このとき、図８（ｃ）に示すように、封筒本体２の他面側２２の外面２２ａには、封緘部７の先端４４側が、貼付部５ａによって貼り合わされたまま残されているので、複数の封緘部８が形成される長さによっては、複数の封緘部８を封緘部７の先端側４４に重ねて固着することとなる。
なお、複数の封緘部８が形成される長さや、複数の封緘部８の基端部８ｃが固定される位置が予め調整しておくことによって、封緘部７の先端側４４を避けて、複数の封緘部８を封筒本体２の他面側２２の外面２２ａに直接固着しても良い。
【００３８】
なお、本実施例では、封筒１を２回繰り返して使用する場合を想定しているため、封緘部を２つ設けているが、封緘部の数はこれに限定されることなく、封筒１の繰り返し使用される回数によって、任意に設定されれば良く、封緘部の数の増加に従って、封筒１を繰り返し使用可能な回数が増加する。また、封緘部を増加する場合には、複数の封緘部８が、封筒本体１の底辺２５に向けて複数備えられ順番に使用される。
【００３９】
上述した実施例１及び実施例２では、貼付部５（５ａ，５ｂ）の一例として、両面粘着テープを採用したが、これに限定されず、封緘部３（７，８）の面部３ａ（７ａ，８ａ）に接着剤が塗られていて、剥離紙で保護されていても良い。
また、貼付部５（５ａ，５ｂ）が、封緘部３（７，８）の右辺３１近傍から左辺３２近傍まで連続して掛け渡されて配された場合を説明したが、貼付部５（５ａ，５ｂ）は、必ずしも連続して配されていなくても良い。例えば、封緘部３（７，８）の右辺３１近傍と、左辺３２近傍との間を断続して配されていても良い。
【図面の簡単な説明】
【００４０】
【図１】本考案の実施例１による使用前の封筒であって、封筒本体の他面側から見た斜視図。
【図２】使用前の封筒であって、封筒本体の一面側から見た斜視図。
【図３】封筒を１回目に使用する場合であって、封緘部が折り返されていない状態を示す縦方向断面図。
【図４】（ａ）は、封筒を１回目に使用する場合であって、封緘部が折り返され、封緘された状態を示す縦方向断面図であり、（ｂ）は（ａ）の状態の外観を示す斜視図。
【図５】（ａ）は、封筒を開封した状態を示す縦方向断面図であり、（ｂ）は、封筒を２回目に使用する前の状態を示す斜視図。
【図６】封筒を２回目に使用する場合であって、封緘部が折り返され、封緘された状態を示す縦方向断面図。
【図７】本考案の実施例２による封筒であって、封筒本体の他面側から見た斜視図。
【図８】（ａ）は、封筒を１回目に使用する場合であって、封緘部が折り返されていない状態を示す縦方向断面図。  （ｂ）は、封筒を１回目に使用する場合であって、封緘部が折り返されて封筒が封緘された状態を示す縦方向断面図。  （ｃ）は、封筒を２回目に使用する場合であって、封緘部が折り返されて封筒が封緘された状態を示す縦方向断面図。
【符号の説明】
【００４１】
１  封筒
２  封筒本体
２２ａ  封筒本体の外面
３  封緘部
３ａ  収容口を塞ぐように折り返した時の封筒本体の外面と対向する面部
３ｂ  貼付部を備えた面部と背中合わせの面部
４  収容口
４１  収容口を構成する開口の一辺
４４  封緘部の先端
５  貼付部５
６  切取部
【図１】
0003146606.tif 000003
【図２】
0003146606.tif 000004
【図３】
0003146606.tif 000005
【図４】
0003146606.tif 000006
【図５】
0003146606.tif 000007
【図６】
0003146606.tif 000008
【図７】
0003146606.tif 000009
【図８】
0003146606.tif 000010